(57)【要約】【解決手段】フィルタ汚れ検出装置を、フィルタ１４の一次側又は二次側の空気流路１２から分岐させた導圧管２１と、この導圧管２１の先端に設けたチャンバ２２と、このチャンバ２２の先端に取付けたレンズ２３と、このレンズ２３に平行に且つチャンバ２２内に張ったダイヤフラム２４と、このダイヤフラム２４のレンズ２３側の面に付設したマーク２６と、ダイヤフラム２４とレンズ２３との間に設けた通気孔２５と、から構成した。【効果】フィルタの一次側又は二次側の圧力でダイヤフラムは迅速に動くことができ、このダイヤフラムの動きに連れてマークも一体的に動くことができる。従って、マークをレンズを通して監視する構造にすることで、小さな圧力差の発生でもマーク像の変化を認識することができる。この結果、目詰まりや汚れの状態を容易に判別することができる。【選択図】　　　　図１
2004036699.tif 000002
【特許請求の範囲】
【請求項１】
フィルタが汚れると、フィルタの二次側の圧力が正常値よりも下降する又はフィルタの一次側の圧力が正常値よりも上昇することを検出するフィルタ汚れ検出装置において、
このフィルタ汚れ検出装置は、フィルタの一次側又は二次側の流路から分岐させた導圧管と、この導圧管の先端に設けたチャンバと、このチャンバの先端に取付けたレンズと、このレンズに平行に且つ前記チャンバ内に張ったダイヤフラムと、このダイヤフラムのレンズ側の面に付設したマークと、前記ダイヤフラムとレンズとの間に設けた通気孔と、からなり、
フィルタの一次側又は二次側の圧力によりダイヤフラムがレンズに接近若しくは離間することを利用し、外からレンズを通して見えるマーク像が変化することでフィルタの汚れ度合いを検出できるようにしたことを特徴とするフィルタ汚れ検出装置。
【発明の詳細な説明】
【０００１】
【発明の属する技術分野】
本発明は、空気圧機器などのフィルタの目詰まりや汚れを検出するフィルタ汚れ検出装置に関する。
【０００２】
【従来の技術】
例えば、空気圧機器のフィルタは、目詰まりや汚れの状態を外から見ることができないことが一般的である。従って、フィルタの目詰まりや汚れの状態を知らせる装置を付設するとフィルタの交換時期がきたことをすぐ判り便利である。　このようなフィルタ汚れ検出装置として、例えば特開２０００−２５４４３１公報「目詰まり検出装置」が知られている。
同公報の図２を図１０に掲載し、同公報の図３を図１１に掲載して、上記技術を説明する。ただし、同公報に記載の符号を新しく振り直すとともに記載の名称も一部変更した。
【０００３】
図１０は従来のフィルタ汚れ検出装置の正面断面図であり、図１１は従来のフィルタ汚れ検出装置の実装したフィルタの正面断面図である。
従来のフィルタ汚れ検出装置１００は、主ブロック部１０１に永久磁石１０２を有する目詰まり検出軸体１０３をスライド可能に取付け、主ブロック部１０１の一方に一次側ダイヤフラム１０４を取付けることで一次側ダイヤフラム室１０５を形成し、この一次側ダイヤフラム室１０５を図１１に示すフィルタ１０６の一次側ポート１０７に接続し、主ブロック部１０１の他方に二次側ダイヤフラム１１４を取付けることで二次側ダイヤフラム室１１５を形成し、この二次側ダイヤフラム室１１５を図１１に示すフィルタ１０６の二次側ポート１１７に接続したものである。
【０００４】
すなわち、フィルタ１０６のフィルタエレメント１１８が目詰まりすると一次側ポート１０７と二次側ポート１１７との圧力差が大きくなり、一次側・二次側ダイヤフラム１０４，１１４で目詰まり検出軸体１０３を動かす。そして、この目詰まり検出軸体１０３に備えた永久磁石１０２の磁気の変化を磁気センサ（不図示）でセンシングすることでフィルタの目詰まりを検知する。
【０００５】
【発明が解決しようとする課題】
しかし、上記のフィルタ汚れ検出装置１００では、目詰まり検出軸体１０３を移動させるためには、大きな圧力差が必要であり、例えば、比較的小さな圧力差しか発生しない車両用空調装置などのフィルタの目詰まりや汚れの検知には不向きである。
つまり、わずかな目詰まり検出軸体１０３の動きだけでは、永久磁石１０２の磁気の変化を磁気センサでセンシングすることは困難である。従って、フィルタエレメント１１８の目詰まりや汚れの状態を判断することは困難である。
【０００６】
そこで、本発明の目的は、小さな圧力差であっても作動させることができるとともに、目詰まりや汚れの状態を容易に判別することが可能なフィルタ汚れ検知装置を提供することにある。
【０００７】
【課題を解決するための手段】
上記目的を達成するために請求項１は、フィルタが汚れると、フィルタの二次側の圧力が正常値よりも下降する又はフィルタの一次側の圧力が正常値よりも上昇することを検出するフィルタ汚れ検出装置において、フィルタ汚れ検出装置を、フィルタの一次側又は二次側の流路から分岐させた導圧管と、この導圧管の先端に設けたチャンバと、このチャンバの先端に取付けたレンズと、このレンズに平行に且つチャンバ内に張ったダイヤフラムと、このダイヤフラムのレンズ側の面に付設したマークと、ダイヤフラムとレンズとの間に設けた通気孔と、から構成し、フィルタの一次側又は二次側の圧力によりダイヤフラムがレンズに接近若しくは離間することを利用し、外からレンズを通して見えるマーク像が変化することでフィルタの汚れ度合いを検出できるようにしたことを特徴とする。
【０００８】
フィルタの目詰まりや汚れの状態を容易に判別することができ、小さな圧力差でフィルタの目詰まりや汚れの状態を確認することができるとすれば好ましいことである。
そこで、フィルタの一次側又は二次側の流路から導圧管を分岐させ、この導圧管の先端にチャンバを設け、このチャンバの先端にレンズを取付け、このレンズに平行に且つチャンバ内にダイヤフラムを張り、このダイヤフラムのレンズ側にマークを設け、ダイヤフラムとレンズとの間に通気孔を設けた。フィルタの一次側又は二次側の圧力によりダイヤフラムがレンズに接近若しくは離間することを利用し、外からレンズを通して見えるマーク像が変化することでフィルタの汚れ度合いを検出する。
【０００９】
フィルタの一次側又は二次側の圧力でダイヤフラムは迅速に動くことができ、このダイヤフラムの動きに連れてマークも一体的に動くことができる。従って、マークをレンズを通して監視する構造にすることで、小さな圧力差の発生でもマーク像の変化を認識することができる。
この結果、フィルタの目詰まりや汚れの状態を容易に判別することができる。
【００１０】
【発明の実施の形態】
本発明の実施の形態を添付図に基づいて以下に説明する。なお、図面は符号の向きに見るものとする。
図１は本発明に係るフィルタ汚れ検出装置の側面断面図であり、空気圧機器１１は、空気を導く流路としての空気流路１２と、この空気流路１２の入口側１３に設けることで空気中の塵埃を遮断するフィルタ１４と、空気流路１２の出口側１５に設けることで空気の流れを起こすファン１６と、からなり、空気流路１２は、フィルタ１４とファン１６との間に空気流路１２内の圧力を取り出すための圧力取出し口１７を備える。
【００１１】
なお、フィルタ１４の空気流入側１８をフィルタ１４の一次側、フィルタ１４の空気流出側１９をフィルタ１４の二次側と定義する。また、白抜き矢印Ａ１はフィルタ１４の一次側の空気の流れ、白抜き矢印Ａ２はフィルタ１４の二次側の空気の流れを示す。
【００１２】
フィルタ汚れ検出装置２０は、空気圧機器１１のフィルタ１４の汚れの状態や目詰まりの状態を検出する装置であって、空気流路１２の圧力取出し口１７に接続した導圧管２１と、この導圧管２１の先端に接続したチャンバ２２と、このチャンバ２２の先端に取付けたレンズ２３と、レンズ２３に平行に且つチャンバ２２内に張ったダイヤフラム２４と、からなり、チャンバ２２は、ダイヤフラム２４とレンズ２３との間に設けることで大気圧に保つ通気孔２５を備え、ダイヤフラム２４は、レンズ２３側に描いたマーク２６を備える。
なお、レンズ２３は凸レンズである。
【００１３】
図２（ａ）〜（ｃ）は本発明に係るフィルタ汚れ検出装置の第１動作説明図であり、ファン１６を最大風量で回したときの空気流路１２内の圧力とダイヤフラム２４の動きを説明する。
（ａ）において、フィルタ１４に、汚れ若しくは目詰まりの発生がない状態を示し、フィルタ１４の一次側の圧力及び二次側の圧力は略同圧で正常値であり、ダイヤフラム２４は水平状態を保つことができる。
【００１４】
（ｂ）において、フィルタ１４に、汚れ若しくは目詰まりが若干発生した状態を示し、フィルタ１４の二次側の圧力は正常値よりも下降して小さな負圧となり、ダイヤフラム２４は矢印ｂの如く若干湾曲する。
【００１５】
（ｃ）において、フィルタ１４に、汚れ若しくは目詰まりが大きく発生した状態を示し、フィルタ１４の二次側の圧力は正常値よりもさらに下降して大きな負圧となり、ダイヤフラム２４は矢印ｃの如く大きく湾曲する。
【００１６】
図３（ａ），（ｂ）は本発明に係るフィルタ汚れ検出装置の第２動作説明図であり、レンズ２３外方からダイヤフラム２４を覗いたときのマーク２６の見え方の違いを示す。また、（ａ）は、フィルタ１４（図１参照）に汚れ若しくは目詰まりの発生がない状態を示し、（ｂ）はフィルタ１４に汚れ若しくは目詰まりが大きく発生した状態を示す。
【００１７】
（ａ）において、Ｆ１は物体側焦点、Ｆ２は映像側焦点、Ｃは光軸、Ｒ１はレンズ主点、Ｒ２はレンズ主点Ｒ１を通り光軸Ｃに直角な平面としてのレンズ主平面とするときに、マーク２６から光軸Ｃに平行にレンズ２３に矢印ａ１の如く入射する光は、レンズ主平面Ｒ２から屈折して矢印ａ２の如く映像側焦点Ｆ２に向かう。また、マーク２６からレンズ主点Ｒ１に矢印ａ３の如く向かう光は、屈折せずに直進する。
すなわち、マーク２６は、物体側焦点Ｆ１のレンズ２３側（内側）にあるので実像を結ぶことはなく、矢印ａ２と矢印ａ３とを逆方向に延長した交点にマーク像（虚像）Ｈ２を形成する。従って、レンズ２３の外方からマーク２６をマーク像Ｈ２として目視することができる。
【００１８】
（ｂ）において、Ｆ１は物体側焦点、Ｆ２は映像側焦点、Ｃは光軸、Ｒ１はレンズ主点、Ｒ２はレンズ主平面とするときに、マーク２６から光軸Ｃに平行にレンズ２３に矢印ｂ１の如く入射する光は、レンズ主平面Ｒ２から屈折して矢印ｂ２の如く映像側焦点Ｆ２に向かう。また、マーク２６からレンズ主点Ｒ１に矢印ｂ３の如く向かう光は、屈折せずに直進する。さらに、マーク２６から物体側焦点Ｆ１に矢印ｂ４の如く入射した光は、レンズ主平面Ｒ２から屈折して矢印ｂ５の如く光軸Ｃに平行に進む。
すなわち、矢印ｂ２、矢印ｂ３及び矢印ｂ５の集合点にマーク像（実像）Ｈ１を形成する。従って、レンズ２３の外方からマーク２６をマーク像Ｈ１として目視することができる。
【００１９】
また、フィルタ汚れ検出装置２０は、フィルタ１４（図１参照）が汚れると、フィルタ１４の二次側の圧力が正常値よりも下降することを検出するフィルタ汚れ検出装置において、フィルタ１４の二次側の空気流路１２（図１参照）から分岐させた導圧管２１（図１参照）と、この導圧管２１の先端に設けたチャンバ２２と、このチャンバ２２の先端に取付けたレンズ２３と、このレンズ２３に平行に且つチャンバ２２内に張ったダイヤフラム２４と、このダイヤフラム２４のレンズ２３側の面に付設したマーク２６と、ダイヤフラム２４とレンズ２３との間に設けた通気孔２５と、から構成したものと言え、フィルタ１４の二次側の圧力によりダイヤフラム２４がレンズ２３から離間することを利用し、外からレンズ２３を通して見えるマーク像Ｈ１，Ｈ２が変化することでフィルタ１４の汚れ度合いを検出できるようにした。
【００２０】
フィルタ１４（図１参照）の目詰まりや汚れの状態を容易に判別することができ、小さな圧力差でフィルタ１４の目詰まりや汚れの状態を確認することができるとすれば好ましいことである。
そこで、フィルタ１４の二次側の流路から導圧管２１（図１参照）を分岐させ、この導圧管２１の先端にチャンバ２２を設け、このチャンバ２２の先端にレンズ２３を取付け、このレンズ２３に平行に且つチャンバ２２内にダイヤフラム２４を張り、このダイヤフラム２４のレンズ２３側にマーク２６を設け、ダイヤフラム２４とレンズ２３との間に通気孔２５を設け、フィルタ１４の二次側の圧力によりダイヤフラム２４がレンズ２３から離間することを利用し、外からレンズ２３を通して見えるマーク像Ｈ１，Ｈ２が変化することで、フィルタ１４の汚れ度合いを検出する。
【００２１】
フィルタ１４の二次側の圧力でダイヤフラム２４は迅速に動くことができ、このダイヤフラム２４の動きに連れてマーク２６も一体的に動くことができる。従って、マーク２６をレンズ２３を通して監視する構造にすることで、小さな圧力差がある場合でもマーク像Ｈ１，Ｈ２の変化を認識することができる。この結果、フィルタ１４の目詰まりや汚れの状態を容易に判別することができる。
【００２２】
図４（ａ），（ｂ）は本発明に係るフィルタ汚れ検出装置の説明図であり、（ａ）はフィルタ汚れ検出装置２０の外観を示し、（ｂ）は（ａ）のｂ矢視状態を示す。
（ａ）において、矢印ｂの如くレンズ２３を覗くときに、（ｂ）に破線で示すように、マーク像Ｈ２（図３参照）が現れていれば、フィルタ１４（図１参照）に汚れ若しくは目詰まりの発生がないことを示す。
【００２３】
また、矢印ｂの如くレンズ２３を覗くときに、（ｂ）に実線で示すように、マーク像Ｈ１（図３参照）を確認することができるときは、フィルタ１４（図１参照）の汚れ若しくは目詰まりが大きく発生した状態であることを示し、フィルタ１４の交換又は清掃の必要な時期であることを示す。
【００２４】
図５（ａ），（ｂ）は本発明に係る第２実施の形態のフィルタ汚れ検出装置の説明図であり、（ａ）はフィルタ汚れ検出装置３０の外観を示し、（ｂ）は（ａ）のｂ矢視状態を示す。
（ａ）において、フィルタ汚れ検出装置３０は、図１に示すフィルタ汚れ検出装置２０と略同一構造の装置であって、チャンバ３２にレンズ３３外方の略半分を覆うレンズシェード３８を備えたものであり、矢印ｂの如くレンズ３３を覗くときに、マーク像（実像）Ｈ３が現れてなければ、フィルタ１４（図１参照）に汚れ若しくは目詰まりの発生がないことを示す。
【００２５】
また、矢印ｂの如くレンズ３３を覗くときに、（ｂ）に実線で示すように、マーク像Ｈ３を確認することができるときは、フィルタ１４の汚れ若しくは目詰まりが大きく発生した状態であることを示し、フィルタ１４の交換又は清掃の必要な時期であることを示す。
すなわち、レンズ３３の略半分を覆うレンズシェード３８を備え、フィルタ１４（図１参照）の汚れ若しくは目詰まりを表示するエリアを狭めることで、フィルタ汚れ若しくは目詰まりを迅速に判断することができる。この結果、フィルタ汚れ検出装置３０の視認性の向上を図ることができる。
【００２６】
図６は本発明に係る第３実施例のフィルタ汚れ検出装置の側面断面図であり、フィルタ汚れ検出装置２０（図１参照）に使用した部品と同一部品は同一符号を用い詳細な説明は省略する。
図中、１１は空気圧機器、１２は空気流路、１３は空気流路１２の入口側、１４はフィルタ、１５は空気流路１２の出口側、１６はファン、１７は空気流路１２の圧力取出し口、白抜き矢印Ａ１はフィルタ１４の一次側、白抜き矢印Ａ２はフィルタ１４の二次側である。
【００２７】
フィルタ汚れ検出装置４０は、空気流路１２の圧力取出し口１７に直接的に接続したチャンバ４２と、このチャンバ４２の先端に取付けたレンズ４３と、レンズ４３に平行に且つチャンバ４２内に張ったダイヤフラム４４と、からなる。
チャンバ４２は、空気流路の圧力を導入する導圧管としての導入口４７と、ダイヤフラム４４とレンズ４３との間に設けることで大気圧に保つ通気孔４５とを備え、ダイヤフラム４４は、レンズ４３側に描いたマーク４６を備える。
【００２８】
フィルタ汚れ検出装置４０は、空気流路１２の圧力取出し口１７に直接的にチャンバ４２を取付けることで、チャンバ４２を取付ける支持部材などを省略することができる。この結果、フィルタ汚れ検出装置４０のコストの低減を図ることができる。
【００２９】
図７は本発明に係る第４実施の形態のフィルタ汚れ検出装置の側面断面図であり、空気圧機器５１は、空気を導く流路としての空気流路５２と、この空気流路５２の入口側５３に設けることで空気の流れを起こすファン５６と、空気流路５２の出口側５５に設けることで空気中の塵埃を遮断するフィルタ５４と、からなり、空気流路５２は、フィルタ５４とファン５６との間に空気流路５２内の圧力を取り出すための圧力取出し口５７を備える。
なお、フィルタ５４の空気流入側５８をフィルタ５４の一次側、フィルタ５４の空気流出側５９をフィルタ５４の二次側と定義する。また、白抜き矢印Ｂ１はフィルタ５４の一次側の空気の流れ、白抜き矢印Ｂ２はフィルタ５４の二次側の空気の流れを示す。
【００３０】
フィルタ汚れ検出装置６０は、空気流路５２の圧力取出し口５７に直接的に接続したチャンバ６２と、このチャンバ６２の先端に取付けたレンズ６３と、レンズ６３に平行に且つチャンバ６２内に張ったダイヤフラム６４と、からなる。
チャンバ６２は、空気流路の圧力を導入する導圧管としての導入口６７と、ダイヤフラム６４とレンズ６３との間に設けることで大気圧に保つ通気孔６５とを備え、ダイヤフラム６４は、レンズ６３側に描いたマーク６６を備える。
【００３１】
図８（ａ）〜（ｃ）は本発明に係る第４実施の形態のフィルタ汚れ検出装置の第１動作説明図であり、ファン５６を最大風量で回したときの空気流路５２内の圧力とダイヤフラム６４の動きを説明する。
（ａ）において、フィルタ５４に、汚れ若しくは目詰まりの発生がない状態を示し、フィルタ５４の一次側の圧力及び二次側の圧力は略同圧で正常値であり、ダイヤフラム６４は水平状態を保つことができる。
【００３２】
（ｂ）において、フィルタ５４に、汚れ若しくは目詰まりが若干発生した状態を示し、フィルタ５４の一次側の圧力は正常値よりも上昇して小さな正圧となり、ダイヤフラム６４は矢印ｂの如く若干湾曲する。
【００３３】
（ｃ）において、フィルタ５４に、汚れ若しくは目詰まりが大きく発生した状態を示し、フィルタ５４の一次側の圧力は正常値よりもさらに上昇して大きな正圧となり、ダイヤフラム６４は矢印ｃの如く大きく湾曲する。
【００３４】
図９（ａ），（ｂ）は本発明に係る第４実施の形態のフィルタ汚れ検出装置の第２動作説明図であり、レンズ６３外方からダイヤフラム６４を覗いたときのマーク６６の見え方の違いを示す。また、（ａ）は、フィルタ５４（図７参照）に汚れ若しくは目詰まりの発生がない状態を示し、（ｂ）はフィルタ５４に汚れ若しくは目詰まりが大きく発生した状態を示す。
【００３５】
（ａ）において、Ｆ１は物体側焦点、Ｆ２は映像側焦点、Ｃは光軸、Ｒ１はレンズ主点、Ｒ２はレンズ主平面とするときに、矢印ａ４はマーク６６から光軸Ｃに平行にレンズ６３に入射する光、矢印ａ５は矢印ａ４が屈折してレンズ主平面Ｒ２から映像側焦点Ｆ２に向かう光、矢印ａ６はマーク６６からレンズ主点Ｒ１に向かう光、矢印ａ７はマーク６６から物体側焦点Ｆ１に入射した光、矢印ａ８は矢印ａ７が屈折してレンズ主平面Ｒ２から光軸Ｃに平行に進む光を示す。すなわち、矢印ａ５、矢印ａ６及び矢印ａ８の集合点にマーク像（実像）Ｈ５を形成する。従って、レンズ６３の外方からマーク６６をマーク像Ｈ５として目視することができる。
【００３６】
（ｂ）において、Ｆ１は物体側焦点、Ｆ２は映像側焦点、Ｃは光軸、Ｒ１はレンズ主点、Ｒ２はレンズ主平面とするときに、矢印ｂ６はマーク６６から光軸Ｃに平行にレンズ６３に入射する光、矢印ｂ７は矢印ｂ６が屈折してレンズ主平面Ｒ２から映像側焦点Ｆ２に向かう光、矢印ｂ８はマーク６６からレンズ主点Ｒ１に入射する光を示し、マーク６６は物体側焦点Ｆ１のレンズ６３側（内側）にあるのでマーク像（実像）Ｈ５を結ぶことはなく、矢印ｂ７と矢印ｂ８とを逆方向に延長した交点にマーク像（虚像）Ｈ６を形成する。従って、レンズ６３の外方からマーク６６はマーク像Ｈ６として目視することができる。
【００３７】
すなわち、フィルタ汚れ検出装置６０は、マーク像Ｈ５を目視することができるときはフィルタ５４に汚れ若しくは目詰まりの発生がない状態であり、マーク像Ｈ６を目視することができるときはフィルタ５４に汚れ若しくは目詰まりが大きく発生した状態であって、フィルタ５４の交換又は清掃の必要な時期であることを示す。
【００３８】
また、フィルタ汚れ検出装置６０は、フィルタ５４（図７参照）が汚れると、フィルタ５４の一次側の圧力が正常値よりも上昇することを検出するフィルタ汚れ検出装置において、フィルタ５４の一次側の空気流路５２（図７参照）から分岐させた導圧口（導圧管）６７と、この導圧口６７の先端に設けたチャンバ６２と、このチャンバ６２の先端に取付けたレンズ６３と、このレンズ６３に平行に且つチャンバ６２内に張ったダイヤフラム６４と、このダイヤフラム６４のレンズ６３側の面に付設したマーク６６と、ダイヤフラム６４とレンズ６３との間に設けた通気孔６５と、から構成したものと言え、フィルタ５４の一次側の圧力によりダイヤフラム６４がレンズ６３に接近することを利用し、外からレンズ６３を通して見えるマーク像Ｈ５，Ｈ６が変化することでフィルタ５４の汚れ度合いを検出できるようにした。
【００３９】
すなわち、フィルタ５４の一次側の圧力でダイヤフラム６４は迅速に動くことができ、このダイヤフラム６４の動きに連れてマーク６６も一体的に動くことができる。従って、マーク６６をレンズ６３を通して監視する構造にすることで、小さな圧力差ある場合でもマーク像Ｈ５，Ｈ６の変化を認識することができる。この結果、フィルタ５４の目詰まりや汚れの状態を容易に判別することができる。
【００４０】
【発明の効果】
本発明は上記構成により次の効果を発揮する。
請求項１では、フィルタ汚れ検出装置を、フィルタの一次側又は二次側の流路から分岐させた導圧管と、この導圧管の先端に設けたチャンバと、このチャンバの先端に取付けたレンズと、このレンズに平行に且つチャンバ内に張ったダイヤフラムと、このダイヤフラムのレンズ側の面に付設したマークと、ダイヤフラムとレンズとの間に設けた通気孔と、から構成したので、フィルタの一次側又は二次側の圧力によりダイヤフラムがレンズに接近若しくは離間することを利用し、外からレンズを通して見えるマーク像が変化することでフィルタの汚れ度合いを検出することができる。
すなわち、フィルタの一次側又は二次側の圧力でダイヤフラムは迅速に動くことができ、このダイヤフラムの動きに連れてマークも一体的に動くことができる。従って、マークをレンズを通して監視する構造にすることで、小さな圧力差の発生でもマーク像の変化を認識することができる。
この結果、フィルタの目詰まりや汚れの状態を容易に判別することができる。
【図面の簡単な説明】
【図１】本発明に係るフィルタ汚れ検出装置の側面断面図
【図２】本発明に係るフィルタ汚れ検出装置の第１動作説明図
【図３】本発明に係るフィルタ汚れ検出装置の第２動作説明図
【図４】本発明に係るフィルタ汚れ検出装置の説明図
【図５】本発明に係る第２実施の形態のフィルタ汚れ検出装置の説明図
【図６】本発明に係る第３実施例のフィルタ汚れ検出装置の側面断面図
【図７】本発明に係る第４実施の形態のフィルタ汚れ検出装置の側面断面図
【図８】本発明に係る第４実施の形態のフィルタ汚れ検出装置の第１動作説明図
【図９】本発明に係る第４実施の形態のフィルタ汚れ検出装置の第２動作説明図
【図１０】従来のフィルタ汚れ検出装置の正面断面図
【図１１】従来のフィルタ汚れ検出装置の実装したフィルタの正面断面図
【符号の説明】
１４，５４…フィルタ、２０，４０，６０…フィルタ汚れ検出装置、２１…導圧管、２２，４２，６２…チャンバ、２３，４３，６３…レンズ、２４，４４，６４…ダイヤフラム、２５，４５，６５…マーク、４７，６７…導圧管（導圧口）、Ｈ１，Ｈ２，Ｈ３，Ｈ５，Ｈ６…マーク像。
【図１】
2004036699.tif 000003
【図２】
2004036699.tif 000004
【図３】
2004036699.tif 000005
【図４】
2004036699.tif 000006
【図５】
2004036699.tif 000007
【図６】
2004036699.tif 000008
【図７】
2004036699.tif 000009
【図８】
2004036699.tif 000010
【図９】
2004036699.tif 000011
【図１０】
2004036699.tif 000012
【図１１】
2004036699.tif 000013